(57)【要約】  典型的には単にアナログＸ線撮影のために構成された現行の可動式または携帯型のフィルムＸ線検査装置を改造して、デジタルＸ線撮影術の適用のために前記検査装置を使用可能にするためのキット。そのキットは、可動式または携帯型の装置の車輪付きシャーシに取り付けられたタブレットＰＣと、露出制御信号をその装置のユーザが操作可能な露出制御スイッチからタブレットＰＣに進路変更するために用いられる入力／出力デバイスとを含む。タブレットＰＣは、フラットパネル形デジタル検出器の動作を制御する画像処理ソフトウェアを含む。タブレットＰＣはさらに、以前はアナログＸ線撮影のためにのみ構成されていた、他の可動式または携帯型の装置または施設もしくは検査室を別々に制御するために使用することができる。
2013529513.tif 000002
【特許請求の範囲】
【請求項１】
元々は単にアナログベースのＸ線撮影のために構成された可動式または携帯型のＸ線診断装置であって、前記可動式または携帯型の診断装置が、Ｘ線発生器アセンブリと、Ｘ線フィルムと共に使用するための露出制御機構と、前記装置をアナログ動作からデジタル動作に変換する改造キットとを含み、前記改造キットが、
前記装置に解放可能に取り付けられたタブレットＰＣであって、前記携帯型Ｘ線診断装置および前記可動式Ｘ線診断装置のうちの一方と組み合わせたユーザインターフェースを提供し、デジタルＸ線撮影の露出制御を可能にするソフトウェアを有するタブレットＰＣと、
フィルムＸ線カセットの代わりの少なくとも１つのフラットパネル形デジタル検出器から露出を前記タブレットＰＣが受信および制御できるように、露出制御信号を前記装置の前記露出制御機構から前記タブレットＰＣに電気的に経路発送する手段と
を含む、Ｘ線診断装置。
【請求項２】
前記タブレットＰＣが常駐バッテリを含み、前記常駐バッテリが、その他の場合に起きる前記Ｘ線診断装置の電力供給への影響を及ぼすことなく、給電動作を可能にする、請求項１に記載の装置。
【請求項３】
前記タブレットＰＣが、前記可動式または携帯型のＸ線診断装置に解放可能に取り付け可能である、請求項２に記載の装置。
【請求項４】
前記タブレットＰＣがさらに、アナログＸ線撮影のためにのみ前に構成された少なくとも１つの検査室と共に使用するように構成されている、請求項３に記載の装置。
【請求項５】
前記露出制御信号を経路発送する手段が、露出制御信号を前記露出制御機構の手動制御装置から前記タブレットＰＣに経路発送する回路を有するＩ／Ｏデバイスを含む、請求項１に記載の装置。
【請求項６】
前記フラットパネル形デジタル検出器を前記タブレットＰＣとリンクさせる手段を含み、前記リンク手段が、前記タブレットＰＣから電力を引き抜く、請求項１に記載の装置。
【請求項７】
前記装置が、アナログ動作モードとデジタル動作モードとの間の選択的な動作を可能にする切り替え手段を含む、請求項５に記載の装置。
【請求項８】
前記切り替え手段が、前記Ｉ／Ｏデバイス内に設けられたジャンパ回路を備える、請求項７に記載の装置。
【請求項９】
前記装置が、前記Ｘ線発生器アセンブリを動作させる制御装置を有するオペレータコンソールを含むカバーを有する車輪付きカートを含み、前記改造キットが、前記タブレットＰＣを保持するように構成された代替カバーを含む、請求項５に記載の装置。
【請求項１０】
元々は単にアナログベースのＸ線撮影のために構成された可動式Ｘ線診断装置をデジタルＸ線撮影装置に改造するためのキットであって、前記可動式Ｘ線診断装置が、ユーザが操作可能な露出制御装置によって始動するアナログＸ線露出を制御する常駐の回路を含み、前記改造キットが、
フラットパネル形デジタル検出器を用いてＸ線露出写真を指示できる、ユーザインターフェースおよびソフトウェアを有するタブレットＰＣと、
前記可動式の装置に対して前記タブレットＰＣを解放可能に装着する手段と、
露出制御信号を前記ユーザが操作する露出制御装置から前記タブレットＰＣに進路変更する手段と
を備える、改造キット。
【請求項１１】
前記タブレットＰＣが前記フラットパネル形デジタル検出器に無線接続されている、請求項１０に記載の改造キット。
【請求項１２】
前記タブレットＰＣが少なくとも１つの常駐バッテリから電力を受ける、請求項１０に記載の改造キット。
【請求項１３】
前記タブレットＰＣが前記可動式診断装置から電力を引き抜かない、請求項１２に記載の改造キット。
【請求項１４】
前記タブレットＰＣが、有線接続によって前記フラットパネル形デジタル検出器に接続されている、請求項１０に記載の改造キット。
【請求項１５】
前記装置のための代替カバーをさらに含み、前記代替カバーが、前記タブレットＰＣを保持するための少なくとも１つの凹所を含む、請求項１０に記載の改造キット。
【請求項１６】
前記タブレットＰＣが仮想キーボードを含む、請求項１０に記載の改造キット。
【請求項１７】
前記露出制御信号を進路変更する手段が、前記露出制御信号を受信し前記信号を前記Ｘ線発生器および前記タブレットＰＣに転送する、ポートを有するＩ／Ｏデバイスを含む、請求項１０に記載の改造キット。
【請求項１８】
元々は単にアナログベースのＸ線撮影のために構成された可動式または携帯型の診断Ｘ線装置を改造する方法であって、前記装置が、Ｘ線発生器と、常駐の電力供給装置と、Ｘ線の露出を制御する制御手段とを含む車輪付きカートを含み、
前記方法が、
露出制御信号を前記制御手段からタブレットＰＣに進路変更するステップであって、前記タブレットＰＣが、前記Ｘ線発生器および少なくとも１つのフラットパネル形デジタル検出器を制御する常駐のソフトウェアを含む、進路変更するステップと、
前記タブレットＰＣを用いて前記フラットパネル形デジタル検出器の露出を制御するステップと
を含む方法。
【請求項１９】
自己完結型のバッテリを用いて前記タブレットＰＣに電力供給し、前記装置の常駐の電力供給装置から電力を引き抜かない、追加のステップを含む、請求項１８に記載の方法。
【請求項２０】
前記タブレットＰＣが前記フラットパネル形検出器と無線で通信する、請求項１８に記載の方法。
【請求項２１】
前記タブレットＰＣが前記フラットパネル形検出器と有線接続によって通信する、請求項１８に記載の方法。
【請求項２２】
前記診断装置の電力供給から引き抜くことなく前記タブレットＰＣを動作させるステップを含む、請求項１８に記載の方法。
【請求項２３】
Ｉ／Ｏデバイスを前記装置内に配設するステップであって、前記Ｉ／Ｏデバイスが、前記可動式の装置の露出制御用導線と相互接続し、前記導線を前記タブレットＰＣに経路発送するポートを含む、配設するステップを含む、請求項１８に記載の方法。
【発明の詳細な説明】
【背景技術】
【０００１】
Ｘ線装置は、診断医療の分野では一般に知られており、様々な数の医療検査手順に利用されている。ある一定のＸ線装置は、（１つまたは複数の）指定の検査手順のために患者がそこに運ばれる指定の領域または医療検査室に専用のものである。それらの装置は、典型的には、患者がそこに運ばれる施設の（１つもしくは複数の）指定の領域または（１つもしくは複数の）医療検査室内に固定して装着される専用のハードウェアとして設けられている。あるいは、可動式または携帯型のである、既知の他のＸ線装置がある。可動式のＸ線検査装置は、典型的には、Ｘ線発生器がその上に装着された車輪付きシャーシまたはカートによって画定されており、その装置は、必要に応じて病院または他の医療施設内の部屋間または他の領域間で移動することができ、そのため、固定式の装置のバージョンよりも高い自由度がもたらされる。携帯型のＸ線検査装置は、上記で言及した可動式の装置のバージョンよりもある程度よりコンパクトであり、後者の診断装置はＸ線検査を遠隔で実施できるように医療施設の内外に移動可能にする折り畳み可能な車輪付きの構造を特徴とし、それにより、必要に応じてある一定のＸ線検査を実行できるという点でさらに別のレベルの汎用性がもたらされる。
【０００２】
アナログまたはフィルムベースのＸ線撮影を組み込むための上記で言及したタイプのＸ線装置はそれぞれよく知られており、各装置はＸ線フィルムまたは個々のフィルムカセットに依存しており、それらのＸ線フィルムまたは個々のフィルムカセットは、各露出露出の後に交換しなければならず、さらに入手可能な供給または在庫のフィルムまたはフィルムカセットを常に維持する必要がある。Ｘ線フィルムまたはフィルムカセットの使用には、許容できる画像を獲得するために、Ｘ線源とカセット／フィルムとの間の位置合わせを正確にすることが必要である。さらに、アナログのフィルムおよび／またはフィルムカセットを用いて行われる個々のＸ線露出をそれぞれ、露出が行われる検査室から別々に取り出し、続いて、分析／評価のためのライトテーブルまたは同様の装置上に置かなければならず、そのため、時間および労力がさらに必要になる。
【０００３】
デジタルＸ線撮影の分野で行われてきたより最近のＸ線診断設備の進歩により、従来のフィルムおよび／またはフィルムカセットの供給の代わりにフラットパネル形デジタル検出器の使用による利益がもたらされている。有利には、とりわけＣａｒｅｓｔｒｅａｍ  Ｈｅａｌｔｈ、Ｖａｒｉａｎ、Ｓａｍｓｕｎｇ、およびＧＥ  Ｍｅｄｉｃａｌ  Ｓｙｓｔｅｍｓによって販売されている検出器などのフラットパネル形デジタル検出器は、リアルタイムで使用することができ、各露出の後に交換する必要がなく、そのため、検出器の内蔵バッテリの１回の充電に基づいた単一のフラットパネル形デジタル検出器を、複数の露出の取得のために連続して使用することができ、それにより、処理能力が上昇し、かつそれらの実装および使用の点で時間およびコストの効率が向上している。典型的には、フラットパネル形デジタル検出器は、有線通信技術および／または無線通信技術によって、Ｘ線発生設備に接続されている。
【先行技術文献】
【特許文献】
【０００４】
【特許文献１】米国特許第６，７０２，４５９号明細書
【特許文献２】米国特許第５，８３５，５５８号明細書
【発明の概要】
【発明が解決しようとする課題】
【０００５】
デジタルＸ線撮影の機能を可能にするために、現行のフィルムベースの（アナログの）Ｘ線診断装置をアップグレードするかまたは後付け改良することを可能にし、それにより、病院または他の医療施設の患者および介護者に対して強化および改良された汎用性がもたらされることは、医療診断分野での一般的な要望である。すでにデジタルＸ線撮影のために構成されている特定の可動式Ｘ線診断装置および携帯型Ｘ線診断装置は、現在入手可能である。しかし、具体的にはデジタルＸ線撮影装置のコストに基づいた、この技術への大規模な改造または移行は、非常に高価である。したがって、こうした改造を行うためのコスト、労力、および／または手間に大きく影響を及ぼすことなく、現行のアナログ診断装置にこうした強化をもたらすことが、当技術分野におけるさらなる一般的な要望である。
【課題を解決するための手段】
【０００６】
したがって、ある態様によれば、元々は単にアナログベースのＸ線撮影動作のために構成された可動式または携帯型のＸ線診断装置であって、可動式または携帯型の診断装置が、Ｘ線発生器アセンブリがその上に配設された車輪付きシャーシまたはカートを含み、前記カートが、前記Ｘ線発生器アセンブリにリンクしたユーザが操作可能な露出制御スイッチを含むオペレータコンソールを含み、Ｘ線装置がさらに、デジタルＸ線撮影を可能にするための改造キットを含み、前記改造キットが、前記車輪付きカートに取り付けられた、携帯型Ｘ線診断装置および可動式Ｘ線診断装置のうちの一方と組み合わせたユーザインターフェースとして働くタブレットＰＣと、その他の場合に起きる前記Ｘ線発生器アセンブリの動作の干渉をすることなく、タブレットＰＣが、前記ユーザが操作可能な露出制御スイッチからの露出制御信号を受信できるようにする手段とを含み、前記タブレットＰＣが、フラットパネル形デジタル検出器から受ける露出を管理するための画像処理ソフトウェアを含む、可動式または携帯型のＸ線診断装置が提供される。
【０００７】
好ましいバージョンでは、タブレットＰＣは、可動式または携帯型のＸ線診断装置に解放可能に取り付けられている。例示的なあるバージョンでは、車輪付きカートのための代替カバーが設けられており、その代替カバーは、少なくとも１つの画定されたレセプタクルまたは空所を有し、そのレセプタクルまたは空所は、タブレットＰＣを解放可能に保持するように適切にサイズ設定および構成されている。一つのバージョンでは、タブレットＰＣの常駐バッテリは、その他の場合に起きる可動式または携帯型の診断装置の現行の電力供給装置に影響を及ぼすこともそれを左右することもなく、その動作を可能にする。別の態様によれば、その装置はさらに、タブレットＰＣが使用されていないときにタブレットＰＣを格納する手段、ならびに装置の可動式の輸送を容易にする少なくとも１つのフラットパネル形デジタル検出器を格納する手段を含む。さらに別の例示的なバージョンでは、その装置は、アナログまたはデジタルＸ線撮影の動作のいずれかのために可動式または携帯型のＸ線診断装置を選択的に使用可能にすることができる、露出制御信号受信手段にリンクされた切り替え手段を含むことができる。
【０００８】
あるバージョンによる可動式または携帯型のＸ線装置の露出制御信号を受信する手段は、車輪付きカート上にまたはその内部に装着されたＩ／Ｏモジュラインターセプトボックスを含み、そのインターセプトボックスは、露出制御信号をタブレットＰＣおよびＸ線発生器アセンブリのそれぞれに方向付けすることを可能にする適切な回路を有する。Ｉ／Ｏインターセプトボックスは、好ましくは、タブレットＰＣを保持するレセプタクルの下の代替カバー上に形成された、適切にサイズ設定された凹所内に保持される。本明細書で説明する装置と併せてタブレットＰＣおよび／またはＩ／Ｏインターセプトボックスを格納する他の適切な格納構成が容易に明らかになる。
【０００９】
別の態様によれば、元々は単にアナログベースのＸ線撮影のために構成された可動式または携帯型のＸ線診断装置をデジタルＸ線撮影装置に改造するためのキットであって、その改造キットが、フラットパネル形デジタル検出器の露出写真を受信または別法で方向付けすることができる、ユーザインターフェースおよびソフトウェアを有するタブレットＰＣと、前記可動式または携帯型の装置のユーザが操作可能な露出制御信号を前記タブレットＰＣに指示する手段とを備えるキットが提供される。
【００１０】
さらに別のバージョンによれば、タブレットＰＣは、携帯型または可動式のＸ線診断装置から選択的に取り外し可能であり、それにより、以前はフィルム（アナログ）Ｘ線撮影のためにのみ使用できた検査室を、デジタルＸ線撮影を適用できるように改造することが可能になるようにドッキングステーションと組み合わせて、例えば、外部の無線アクセスポイント（ＷＡＰ）または他の有線通信手段もしくは無線通信手段を用いて、タブレットＰＣを別個に使用することが可能になる。
【００１１】
さらに別のバージョンによれば、元々は単にアナログベースのＸ線撮影のために構成された可動式または携帯型の診断Ｘ線装置を改造する方法であって、前記装置が、Ｘ線発生器と、常駐の電力供給装置と、前記発生器を用いてＸ線の露出を制御するユーザが操作可能な露出制御手段とを含む車輪付きカートを含み、前記方法が、露出制御信号を前記装置の前記ユーザが操作可能な露出制御手段からタブレットＰＣに経路発送するステップを含み、ｘタブレットＰＣが、フラットパネル形デジタル検出器の動作を制御し、及び前記ユーザによってその動作を可能にするように前記タブレットＰＣを前記装置の前記車輪付きカート上に解放可能に配置する常駐のソフトウェアを含む、経路発送するステップと、ス、前記経路発送するステップが、前記装置の露出制御回路に接続されたインターフェースデバイスを用いて実行される、改造する方法が提供される。
【００１２】
説明したあるバージョンによれば、タブレットＰＣ用の電力は、単にその格納されたバッテリまたは代替的に別個の専用の電力供給装置を介して維持され、タブレットＰＣの電力消費は、Ｘ線発生器またはその関連の電子装置から決して吸い出されることがない。あるバージョンによれば、タブレットＰＣ上もしくはその近傍または診断装置上の別の場所に設けられた無線ルータおよび無線アクセスポート（ＷＡＰ）により、フラットパネル形デジタル検出器との無線動作が可能になる。あるいは、タブレットＰＣをフラットパネル形デジタル検出器に有線接続によって接続することができる。
【００１３】
さらに別のバージョンによれば、タブレットＰＣはさらに、従来のアナログベースのプラットフォームからデジタルベースのプラットフォームに医療施設の他の検査装置を「改造する」ために用いることができる。例えば、元々は単にアナログＸ線検査のために構成された検査室を、ユーザが操作する露出制御信号をタブレットＰＣに経路発送または進路変更することによって改造することができ、タブレットＰＣは、例えば、検査室のすぐ外側のドッキングステーションに取り付けられており、そのドッキングステーションは、必要な場合はその較正を含む、フラットパネル形検出器のデジタルＸ線撮影の動作のための常駐のソフトウェアを有する。タブレットＰＣの一部として設けられるかまたは検査室内に追加された無線ルータおよび無線アクセスポイント（ＷＡＰ）を用いて、フラットパネル形デジタル検出器と無線通信することができる。適切に位置決めされたＩ／Ｏデバイスが、露出制御信号をタブレットＰＣに進路変更し、Ｘ線発生器およびフラットパネル形デジタル検出器を用いて行われるデジタル露出の動作および制御を可能にする。あるいは、フラットパネル形デジタル検出器と、このバージョンによるタブレットＰＣおよび／またはドッキングステーションとの間に有線接続を設けることができる。
【００１４】
他の独占権下にあるデジタルベースのソフトウェアと異なり、少なくとも１つのバージョンによれば、本明細書で説明する可動式または携帯型のＸ線診断装置を、様々なフラットパネル形デジタル検出器と共に互換性があるようにして使用することができる。
【００１５】
本装置および本方法によって実現される利点の一つは、医療施設における汎用性が向上することであり、デジタルＸ線撮影による検査を実施するために、コスト、労力、および／または時間の点で相当のまたは著しい影響なしに、現行のアナログＸ線診断装置を容易に改造することができる。
【００１６】
実現されるさらに別の利点は、タブレットＰＣおよび傍受デバイスの使用により、前はデジタルＸ線撮影のために使用可能ではなかった可動式／携帯型のＸ線検査装置および検査室を簡単かつ効果的に改造できるように２重の機能が与えられることである。例えば、あるバージョンによれば、単一のタブレットＰＣを、必要な場合は２以上の検査室または可動式もしくは携帯型の装置と併せて用いることもできる。
【００１７】
これらのおよび他の特徴および利点は、添付の図面と併せて読むべき以下の発明を実施するための形態から容易に明らかになるであろう。
【図面の簡単な説明】
【００１８】
【図１】例示的な実施形態によるデジタルＸ線撮影の適用のために診断装置を使用可能にするための改造キットの主な構成要素を含む、可動式のアナログＸ線診断装置の部分分解組立図である。
【図２】改造済みの図１の可動式Ｘ線診断装置の上側斜視図である。
【図３】典型的な検査手順で使用される、改造済みの図１および図２の可動式Ｘ線診断装置の上側斜視図である。
【図４】改造済みの図１〜図３の可動式Ｘ線診断装置の拡大部分正面斜視図である。
【図５】改造済みの図１〜図４の可動式Ｘ線診断装置内のタブレットＰＣの接続性に関する、一般化した電気ブロック線図である。
【図６Ａ】図１〜図５の可動式Ｘ線診断装置で使用される、Ｉ／Ｏインターセプトボックスのより詳細な電気概略ブロック線図を、両図を併せて示す。
【図６Ｂ】図１〜図５の可動式Ｘ線診断装置で使用される、Ｉ／Ｏインターセプトボックスのより詳細な電気概略ブロック線図を、両図を併せて示す。
【図７】可動式または輸送式のアナログＸ線装置および別個のモードを改造する、すなわち、前はアナログＸ線検査のためにのみ構成された検査室を改造するということに関して、図１〜図６の可動式Ｘ線診断装置で使用されるタブレットＰＣの２重の機能を示す概略図である。
【図８】デジタル画像の取得および評価を含むユーザインターフェースを示す、本明細書で説明する可動式Ｘ線診断装置のタブレットＰＣによる例示的な一連のクスリーンショットを示す。
【図９】デジタル画像の取得および評価を含むユーザインターフェースを示す、本明細書で説明する可動式Ｘ線診断装置のタブレットＰＣによる例示的な一連のクスリーンショットを示す。
【図１０】デジタル画像の取得および評価を含むユーザインターフェースを示す、本明細書で説明する可動式Ｘ線診断装置のタブレットＰＣによる例示的な一連のクスリーンショットを示す。
【図１１】デジタル画像の取得および評価を含むユーザインターフェースを示す、本明細書で説明する可動式Ｘ線診断装置のタブレットＰＣによる例示的な一連のクスリーンショットを示す。
【図１２】デジタル画像の取得および評価を含むユーザインターフェースを示す、本明細書で説明する可動式Ｘ線診断装置のタブレットＰＣによる例示的な一連のクスリーンショットを示す。
【図１３】デジタル画像の取得および評価を含むユーザインターフェースを示す、本明細書で説明する可動式Ｘ線診断装置のタブレットＰＣによる例示的な一連のクスリーンショットを示す。
【図１４】デジタル画像の取得および評価を含むユーザインターフェースを示す、本明細書で説明する可動式Ｘ線診断装置のタブレットＰＣによる例示的な一連のクスリーンショットを示す。
【図１５】デジタル画像の取得および評価を含むユーザインターフェースを示す、本明細書で説明する可動式Ｘ線診断装置のタブレットＰＣによる例示的な一連のクスリーンショットを示す。
【発明を実施するための形態】
【００１９】
添付の図面に関わる適切な基準フレームを作るために、以下の記述全体を通して様々な用語を参照する。別段の定めがない限り、これらの用語は、本明細書で提示する発明の概念を過剰に制限するものではない。より明確にいくつかの特徴部をより明確に示すために、代表例である図面は必ずしも縮尺が正確ではないことにさらに留意されたい。
【００２０】
以下の説明は、元々は単に従来の（アナログまたはフィルムベースの）Ｘ線撮影のために構成されたいわゆる「可動式」Ｘ線検査装置の改造を対象にした例示的な実施形態に関するものである。本明細書で説明するバージョンによれば、このタイプの装置は、デジタル改造キットを用いてデジタルＸ線撮影プラットフォームに簡単にアップグレードすることができる。この特定の実施形態のための一例によって、本明細書で適合される可動式の診断装置は、元々ＧＥ  Ｍｅｄｉｃａｌ  Ｐｒｏｄｕｃｔｓから販売されているＡＭＸ−４可動式Ｘ線カートである。本発明のためにその装置を選んだのは、純粋に例示であり、本明細書で概略的に説明するようにして、他の可動式または携帯型のアナログ診断Ｘ線装置を、デジタルＸ線撮影への改造に同様に容易に適合できることを当業者は容易に理解されたい。
【００２１】
図１に示すように、本明細書で説明する実施形態による可動式Ｘ線診断装置１００は、車輪付きカート１０２およびデジタル改造キット１０３を含む。その車輪付きカート１０２は一体型のＸ線発生器アセンブリ１６０を有し、そのＸ線発生器アセンブリ１６０は、ユーザが操作可能なコード付き露出制御スイッチ１３８を含む、元のカバー１０１上のオペレータのコンソール上に設けられた一連の様々な制御装置によって電力を受ける。この実施形態によるデジタル改造キット１０３は、タブレットＰＣ１３０と、車輪付きカート１０２用の代替カバー１１０と、少なくとも１つのデジタルのフラットパネル形Ｘ線検出器１５０と、関連の配線系統（図示せず）を含む、車輪付きカート１０２上に設けられたコード付きのユーザが操作可能な手動制御装置１３８からタブレットＰＣに露出制御信号を進路変更または経路発送する手段とを含む。さらに、この例示的な実施形態によれば、車輪付きカート１０２の引き出し１４０の筐体に追加される引き出し用挿入物１４４がさらに設けられる。
【００２２】
本明細書で簡潔に説明するように、この実施形態によれば、可動式の装置１００の（図１にのみ示す）元のカバー１０１は車輪付きカート１０２の上部から取り外され、代替カバー１１０が代わりに用いられる。この代替カバー１１０は、タブレットＰＣ１３０ならびに露出制御信号の進路変更または経路発送手段を保持するように構成されている。さらに、この実施形態によれば、図５に図式的に示す無線ルータ１５２により、Ｘ線画像（露出写真）の取得を制御するための、タブレットＰＣ１３０とフラットパネル形デジタル検出器１５０との間の無線通信が可能になる。代替的に、またはそれと組み合わせて、他の結線および／または無線のリンク機構を、タブレットＰＣ１３０とフラットパネル形デジタル検出器１５０との間に適切に設けることもできる。
【００２３】
図２を参照すると、装置１００の車輪付きカート１０２は、アルミニウムまたは他の適切な材料から作製されたシャーシ１０４によって画定されており、そのシャーシはさらに、その下端部または底端部に形成された、装置部分１１２を支持するベース部１０８によって画定されている。車輪付きカート１０２の装置部分１１２は、以下で論じるようなＸ線の発生のための複数の構成要素を保持するようにサイズ設定されている。カート１０２はさらに上端部によって画定されており、その上端部は、装置１００の元のカバー１０１を支持し、最終的にこの実施形態に従って改造済みのときは代替カバー１１０を支持する。ユーザが操作可能な露出制御スイッチ１３８は、コードまたはワイヤ１３９によってカート１０２の正面を向いた面にコードでつながっており、その露出制御スイッチは、関連の配線系統を通してＸ線発生器アセンブリ１６０に接続されている。代替的に、ちなみに、コードなし（無線）のバージョンを含む、露出制御スイッチのための他の形態の接続を企図できることに留意されたい。これらの変形形態はそれぞれ本発明によって企図されるが、本実施形態はコード付きの構成にのみ関するものである。
【００２４】
車輪付きカート１０２の正面を向いた部分は引き出し１４０を含み、その引き出し１４０の中に、デジタル改造キット１０３の引き出し用挿入物１４４が配設される。図１、図３、および図４を参照すると、この例示的な実施形態による引き出し用挿入物１４４はフレーム１４５によって画定されており、そのフレーム１４５は、引き出し１４０内に合うようにサイズ設定されており、様々なサイズおよび奥行きの垂直に延在する画定されたスロット１４８を複数含み、それらのスロット１４８は、少なくとも１つのデジタルのフラットパネル形のＸ線検出器１５０ならびにタブレットＰＣ１３０のうちの両方または片方が使用されていないときに保管するために、それらを保持するように適切にサイズ設定されている。上記の格納された状態の各構成要素を、完全を期すために図３に極細の線で示している。例えば追加のバッテリ、ケーブル、および他の構成部品を格納するために、引き出し用挿入物１４４に対して追加の筐体を作製することができる。この例示的な実施形態によるカート１０２の引き出し１４０はさらに、外部の上部ハンドル１４６を含み、その底部においてベース部分１０８の近傍でヒンジによって支持されている。引き出し１４０は上記の要素を格納する適切な手段の一つを提供しているが、他の手段の代用が当業者には容易に明らかになることに留意されたい。
【００２５】
図２を参照すると、車輪付きカート１０２は、カート１０２のベース部分１０８の底部の各コーナの下に従来の手段によって装着された１組の車輪１２０を含み、それにより、本明細書で説明する診断装置１００を医療施設の様々な検査室間を移動可能にすることができる。この特定のバージョンによれば、２つの後部車輪１２０ａはそれぞれキャスタ１２４を含み、それにより、装置１００を簡単に方向転換させ特定の位置に固定することが可能になり、そのカートはさらに、ブレーキおよびブレーキ解放バー１３１を含む。さらに、技師または介護者による移動を容易にするために、正面ハンドルバー１２７が、車輪付きカート１０２の上端部に隣接して配設されており、その正面ハンドルバーは、Ｘ線技師または他の介護提供者もしくはサービス提供者による使用を簡単にするために装置１００上に適切な好都合な高さに装着されている。
【００２６】
図２および図３を参照すると、車輪付きカート１０２はＸ線発生器アセンブリ１６０を備え、その発生器アセンブリは、カート１０２の垂直に配設された支柱またはポスト１６４上で支持された光コリメータおよびＸ線源を含む。例えば、特許文献１および特許文献２に記載されたものなど、Ｘ線の発生に関する上記の特徴部は当分野でよく知られている。それらの文献はそれぞれ、参照により本明細書の該当部分に援用される。この実施形態によるＸ線発生器アセンブリ１６０はアーム１６８によって片持ち式になっており、そのアーム１６８は、支柱１６４の中心を通って延在する垂直のスロット１６６で固定して留められている。Ｘ線源を、カート１０２のカバー１０１、１１０上のオペレータのコンソール上に設けられた様々な制御装置を用いて、検査される患者に対して選択的に位置決めすることができ、ユーザが操作可能な露出制御スイッチ１３８を用いて露出が行われる。支柱１６４は、上記で言及した制御装置によってベース（図示せず）を中心に回転することができ、片持ち式のアーム１６８は、必要に応じて、例えば図３に示すような患者の寝台１５８に対して適切な位置にＸ線発生器アセンブリ１６０を移動させるように、上下に移動することもできる。本明細書で説明する可動式Ｘ線診断装置１００は、完全に充電すると約１１６ボルトを供給する複数のバッテリ（この特定のバージョンでは、９個のバッテリが直列に設けられている）によって電力を受ける。それらのバッテリは、車輪付きカート１０２の装置部分内に格納され、必要に応じてアクセスすることができ、そのカートはさらに外部の充電ポート（図示せず）を含む。
【００２７】
次に、デジタル改造キット１０３の主要な構成要素に関して論じる。この例示的な実施形態によるタブレットＰＣ１３０は、代替カバー１１０上に設けられた凹所または受容空所内に嵌まるのに十分にコンパクトであり、そのタブレットＰＣは、仮想キーボードを有するタッチスクリーンを含み、好ましくは、デジタル改造キット１０３の無線ルータ１５２に加えて、やはりそれに取り付けられたイーサネット（登録商標）ノートパソコンアダプタも含む。例示的な実施形態によれば、タブレットＰＣ１３０は、Ｔｅｘａｓ州ＡｕｓｔｉｎのＭｏｔｉｏｎ  Ｃｏｍｐｕｔｉｎｇから販売されているＭｏｄｅｌ  Ｊ３５００タブレットＰＣであり、そのコンピュータは、好ましくは、長寿命のバッテリ、仮想キーボードを有するタッチスクリーンを有する。本実施形態によれば、タブレットＰＣはさらに、ＵＳＢ接続ポートならびにイーサネット接続を含む。本実施形態では、タブレットＰＣ１３０は、適切なスロット中に挿入された１０／１００ファストイーサネットアダプタを含み、さらに、無線アクセスポイントとの直接的なインターフェースとなるように、またはそれを可能にするように本実施形態にあるような図５の別々に接続された無線ルータ１５２を用いて構成されている。さらに、ネットワーク周辺デバイスの接続性に応じて、コンピュータはさらに、ファームウェアポートと、外部キーボードまたはＣＤ／ＤＶＤドライブとのＵＳＢ接続と、外部格納のための外部ＳＡＴＡ（ｅ−ＳＡＴＡ）と、ヘッドフォンジャックおよびマイクロフォンジャック用のプラグとを含むことができる。ＮＹ州ＬｉｖｅｒｐｏｏｌのＩｎｆｉＭｅｄ，  Ｉｎｃ．によって販売されているｉ５  Ｉｍａｇｉｎｇ  Ｓｏｆｔｗａｒｅ  ｓｕｉｔｅなどのデジタル画像処理ソフトウェアを格納し動作させるのに適切な格納容量およびＲＡＭ容量を有する、他の適切なコンパクトなコンピューティングデバイス（タブレットＰＣまたはノート型ＰＣ）を利用できることが容易に明らかになるであろう。この実施形態で用いる特定のタブレットＰＣ１３０は、ピクセル濃度が１０２４×７６８の横型のディスプレイを有する、ＨＤＤが１６０ＧＢのＩｎｔｅｌ  Ｃｏｒｅ  ｖＰｒｏプロセッサを備える。
【００２８】
この実施形態によれば、代替カバー１１０は、モールド成形されたプラスチック製の構成要素であり、車輪付きカートの元のカバーと交換されるようにサイズ設定されている。代替カバー１１０は、タブレットＰＣ１３０を解放可能に保持するようにサイズ設定された１対の画定された受容空所１２８、１９０、ならびにユーザが操作可能な露出制御スイッチ１３８の露出制御信号をタブレットＰＣに進路変更するために用いられる手段を含む。受容空所１２８、１９０はそれぞれ、代替カバー１１０の上側表面に画定されている。代替カバー１１０の目的は、タブレットＰＣ１３０、および露出制御信号を進路変更する手段、ならびに関連の配線系統のためのレセプタクルを提供することである。その他の場合は、以下で論じるように、元の構成要素、ならびにＸ線発生器アセンブリ１６０を動作させるためのキー制御スイッチおよび関連の制御装置などのオペレータ制御装置は、本質的に変更されず、代替カバー１１０上にすでに含まれているか、または装置１００に取り付ける前に再度取り付けられる。
【００２９】
本明細書で説明する改造キット１０３の重要な構成要素は、上記で言及した、露出制御信号を装置１００のユーザが操作可能な露出制御スイッチ１３８からタブレットＰＣ１３０に再経路発送または進路変更する手段である。この例示的な実施形態によれば、露出制御信号を進路変更する手段は、（この記述全体を通して「インターセプト」ボックスとも呼ばれる）入力／出力（Ｉ／Ｏ）ボックスまたはデバイス１８０、および図５に図式的に示す代替デジタルスイッチケーブル１８５の形態である。図６（ａ）および図６（ｂ）に提示されている詳細な電気ブロック線図を簡単に参照すると、Ｉ／Ｏインターセプトボックス１８０は、コンパクトなハウジングであり、そのハウジングは、常駐のマイクロプロセッサ１８２を保持し、代替デジタルスイッチケーブル１８５を介して露出制御信号を受信する１組のインターフェースポート１８４、１８６を含み、そのデジタルスイッチケーブル１８５は、ユーザが操作可能な露出制御スイッチ１３８に取り付けられている。インターセプトボックスにより、露出制御信号をＸ線発生器アセンブリ１６０に指示するすることも可能であるが、Ｉ／Ｏインターセプトボックス１８０のＵＳＢポート１８８を介してタブレットＰＣ１３０に経路発送することも可能である。この例示的な実施形態によれば、Ｉ／Ｏインターセプトボックス１８０は、長さ５インチ×幅２．５インチ×厚さ７／８インチである。
【００３０】
言及したように、再構成前の標準的または典型的な動作では、可動式のアナログＸ線診断装置１００は、様々な制御装置によって動作する。それらの制御装置は、車輪付きカート１０２の図１の元のカバー１０１のオペレータコンソール上に配設されており、従来のアナログのフィルムまたはフィルムカセット（図示せず）に関して既知のようにして露出１回につき十分な線量および期間だけＸ線放射を放出するために、Ｘ線発生器アセンブリ１６０と併せて用いられるユーザが操作可能なコード付き露出制御スイッチ１３８を含む。露出写はそれぞれ、その施設の検査領域から取り出され、ライトテーブル、または適切な画像がとられたかどうかを判定し取り込んだ画像を分析する他の手段を用いて、別々に見られる。
【００３１】
以下の記述は、デジタルＸ線撮影の動作を可能にするようにデジタル改造キット１０３を用いた、本明細書で説明するアナログの可動式Ｘ線診断装置１００をデジタルＸ線撮影もに改造に関するものである。
【００３２】
アナログＸ線診断装置１００をデジタルＸ線撮影のために再構成または改造するためには、この特定の実施形態によれば、装置１００への全ての電力を最初に切断した後で、最初に、可動式の装置１００の図１の元のカバー１０１のヒンジを外し、そのカバー１０１を車輪付きカート１０２の残りの部分から取り外す。取り外すためには、カート１０２の上端部にヒンジで取り付けられている元のカバー１０１をまず開放位置または点検位置まで持ち上げ、次いで、適位置にロックする。次いで、元のカバーを可動式の装置１００の残りの部分から物理的に切断可能にするために、元のカバー１０１の下側に設けられたアナログＸ線診断装置１００への特定の接続を切断する。より具体的には、この例示的な実施形態によれば、キースイッチケーブルおよびデータケーブルをそれぞれ、装置１００の元のカバー１０１上に位置するコントローラディスプレイボードから切断し、接地ケーブルおよびデータケーブルマウントならびにキースイッチケーブルを、装置１００のデータケーブルマウントから続いて取り外す。これらの接続を解放すると、車輪付きカート１０２へのヒンジ接続も切断した後で、元のカバー１０１を車輪付きカート１０２の残りの部分から完全に取り外すことができる。
【００３３】
言及したように、この実施形態によれば、代替カバー１１０は、モールド成形されたプラスチック製の構成要素であり、車輪付きカート１０２の上側部分に合うようにサイズ設定されている。前に取り外した各構成要素を、カート１０２の上部にカバーを設置する前に代替カバー１１０上に再設置することが目的である。すなわち、代替カバー１１０はさらに、元のカバー１０１からそれぞれ前に取り外したディスプレイボードおよびコントローラディスプレイボード、さらにキースイッチを受容するように構成されている。あるいは、代替カバー１１０は、上記の特徴部のうちのいずれかおよび／または全てをすでに別々に備えることができるが、それは、それらの構成要素は基本的に前に取り外したものと同一なのでさらに費用のかかる選択肢である。
【００３４】
したがって、この実施形態によれば、コントローラディスプレイボード、キースイッチ、およびディスプレイボードはそれぞれ、元のカバー１０１から取り外され、続いて、代替カバー１１０上に再設置される。さらに、次いで、元のカート１０２のデータケーブル、リボンケーブル、および（適用可能な場合は）接地ケーブルをそれぞれコントローラディスプレイボードと装置１００のディスプレイボードとの間に再設置する。
【００３５】
デジタル改造キット１０３はデジタルスイッチ（露出制御）ケーブル１８５を含み、そのケーブル１８５が現行の露出制御スイッチケーブルの代わりに用いられて、Ｉ／Ｏインターセプトボックス１８０との相互接続が可能になる。典型的には、車輪付きカート１０２の図２の装置部分１１２内に設けられた露出制御ケーブル（図示せず）は、ユーザが操作可能な露出制御スイッチ１３８をＸ線発生器アセンブリ１６０と電気的にリンクさせる。図５の代替デジタルスイッチケーブル１８５は１対のワイヤフィードを含み、その１対のワイヤフィードはそれぞれ、一方の端部にピンコネクタを有し、それらワイヤフィードは、最初に、適切にサイズ設定された開口部を通して、図４に示すように、代替カバー１０２の下側から凹所１９０中に供給される。
【００３６】
さらに、あるバージョンによれば、図５のルータケーブル１５５を、開口部中および空所１９０中に経路発送することもでき、ルータケーブルはまた、図５に概略的に示すように、１対のＵＳＢコネクタを一方の側部に有し、残りの端部に無線ルータ１５２用の電力プラグを有する。以下で論じるように、無線ルータ１５２は、あるバージョンでは、タブレットＰＣ１３０と併せて用いられて、フラットパネル形デジタル検出器１５０との無線通信が確立される。無線ルータ１５２は、面ファスナまたは他の適切な留め具手段など、適切な手段によって、代替カバー１１０の上側表面に取り付けられている。注目すべきことに、タブレットＰＣ１３０の常駐バッテリは無線ルータ１５２に電力を供給する。したがって、デジタル改造キット１０３の構成要素は、Ｘ線の発生が影響を受けるような、Ｘ線装置１００からの電力の引き込みを行わない。
【００３７】
次いで、代替デジタルスイッチケーブル１８５の残りの端部を、図５および図６（Ａ）、図６（Ｂ）に概略的に示すケーブルの残りの端部にあるプラグインコネクタを介して、装置１００のユーザが操作可能な露出制御スイッチ１３８の適切なコネクタに取り付ける。
【００３８】
上記で言及したように、現行の露出制御信号を装置１００のユーザが操作可能な露出制御スイッチ１３８から再経路発送し、その信号をタブレットＰＣ１３０に指示するのに用いられる手段は、（この記述全体を通して「インターセプト」ボックスまたは「Ｉ／Ｏインターセプト」ボックスとも呼ばれる）入力／出力（Ｉ／Ｏ）ボックスまたはデバイス１８０の形態で提供される。図６（ａ）および図６（ｂ）に提示した詳細な概略的電気線図を参照すると、Ｉ／Ｏインターセプトボックス１８０は、コンパクトな筐体であり、その筐体は、常駐のマイクロプロセッサ１８２ならびに１組のインターフェースポート１８４、１８６を保持し、それらにより、装置１００の露出制御信号を、遠位のスイッチケーブル１８５を用いて傍受し、ＵＳＢポート１８８を介してタブレットＰＣ１３０まで再経路発送することが可能になる。
【００３９】
図５に提示する概略的なブロック線図に、この例示的な実施形態による可動式診断装置１００およびタブレットＰＣ１３０に関わるＩ／Ｏインターセプトボックス１８０の相互接続性を示す。本明細書に説明するように、デジタルスイッチケーブル１８５は、Ｉ／Ｏインターセプトボックス１８０のポート１８４、１８６にリンクされた１対のピンコネクタをケーブルの一端部に含み、そのため、ユーザが操作可能な露出制御スイッチ１３８からの信号をタブレットＰＣ１３０に転送することが可能になる。露出制御信号は、配線系統１８９を介してＩ／Ｏインターセプトボックス１８０のＵＳＢポート１８８から送信され、そのケーブルは、代替カバー１１０の下側の開口部を通して代替カバー１１０の受容空所１２８まで経路発送されている。この例示的な実施形態によれば、Ｉ／Ｏインターセプトボックス１８０は、端部が開いた筐体または空所１９０内に別個に保持されており、その空所１９０はさらに代替カバー１１０の受容空所１２８内に埋められている。空所１９０およびＩ／Ｏインターセプトボックス１８０は、保持プレート１９４によってカバーされ、保持プレートおよび代替カバー１１０にそれぞれ形成された結合孔１９５、１９７を通して取り付けられた１組のネジ留め具１９６を用いて留められている。
【００４０】
図に示すように、装置１００およびＩ／Ｏインターセプトボックス１８０に取り付けられているときは、タブレットＰＣ１３０は、可動式の診断Ｘ線装置１００と十分に係合可能なユーザインターフェースを提供しており、代替カバー１１０の上側表面に設けられた空所１２８内に解放可能に後付けされる。タブレットＰＣ１３０は、ＵＳＢケーブル１８９の一端部に取り付けられており、残りの端部は、インターフェースポート１８８においてＩ／Ｏインターセプトボックス１８０に取り付けられている。図５ならびに図６（ａ）および図６（ｂ）の概略的な線図に示すように、Ｉ／Ｏインターセプトボックス１８０により、タブレットＰＣ１３０が可動式Ｘ線装置１００をデジタルで動作させることが可能になるが、タブレットＰＣは、その常駐バッテリ１３５によって別個に電力を受け、Ｘ線発生器アセンブリ１６０から電力を引き込んでいない。タブレットＰＣ１８０は、このバージョンによれば受容空所１２８内に配設されており、その受容空所１２８は、タブレットＰＣを保持するように構成されているが、タブレットＰＣを選択的に解放することも可能である。言い換えると、Ｉ／Ｏインターセプトボックス１８０により、本明細書で説明する装置１００のタブレットＰＣ１３０と制御装置との間に接続点が設けられる。
【００４１】
使用の際には、タブレットＰＣ１３０は、ＮＹ州ＬｉｖｅｒｐｏｏｌのＩｎｆｉＭｅｄ  Ｉｎｃ．，から入手可能なｉ５  Ｉｍａｇｉｎｇ  Ｓｏｆｔｗａｒｅ  ｓｕｉｔｅなど、デジタルのＸ線画像処理ソフトウェアを搭載している。少なくとも１人の患者の露出、プロセス、および評価画像（デジタル画像）を制御し、必要に応じてネットワークまたは他の接続されたデバイスに画像をエクスポートするために、このソフトウェアまたは同様のソフトウェアにより、タブレットＰＣ１３０を装置１００と接続されたユーザインターフェースとして用いることが可能になる。例示的なスクリーンショットを、デジタル処理ソフトウェアを用いて、タブレットＰＣ１３０によって提示される図８〜図１５のユーザインターフェースに提示しており、これらのスクリーンショットは、様々な露出写真の取得および評価を含む、遠隔制御されるフラットパネル形デジタル検出器１５０でＸ線の発生および露出を管理するために、タブレットＰＣ１３０の様々な動作の面を示している。
【００４２】
図７に示すように、可動式診断装置１００と関連したタブレットＰＣ１３０の解放可能性により、医療施設において実現できる他のデジタルベースの適用および使用に関する汎用性が向上し強化される。まず、前に説明した第１のモード（Ａ）によれば、タブレットＰＣ１３０は、図１〜図６を参照しながら前に説明したように、改造済みの可動式Ｘ線検査装置１００と併せて用いられる。上記で言及したように、この第１のモードでは、タブレットＰＣ１３０は、代替カバー１１０に設けられた受容空所１２８内に解放可能に配設されており、改造済みの装置１００の露出制御信号を受信するために、ＵＳＢ配線系統１８９を介してＩ／Ｏインターセプトボックス１８０のＵＳＢポート１８８と接続されている。言及したように、この信号は、タブレットＰＣ１３０まで再経路発送されるが、その他の場合は、この信号はやはりＸ線発生器アセンブリ１６０まで経路発送される。タブレットＰＣ１３０は常駐のソフトウェアを含み、その常駐のソフトウェアは、装置１００のユーザが操作可能な露出手動制御装置を用いてＸ線発生器アセンブリ１６０の動作を制御し、タブレットＰＣの内部アクセスポイント（図示せず）、図１のルータ１５２を通して、またはイーサネットもしくは他のコード付きの接続を介して、フラットパネル形デジタル検出器１５０からの露出写真を取得および評価し、タブレットＰＣは、例えばビデオデータを、イーサネット接続を介して図５の接続されたルータ１５２を用いて送信できるように、有線通信または無線通信するように構成されている。
【００４３】
さらに、上記で言及したように、タブレットＰＣ１３０および無線ルータ１５２はそれぞれ、コンピュータの常駐バッテリ１３５を用いて電力を受け、したがって、その動作の点で電力を可動式診断装置１００から別個に引き抜くかまたは進路変更する必要がない。したがって、その改造のために、タブレットＰＣ１３０またはデジタル改造キット１０３の他の面は、他の形では可動式診断装置１００の電力消費または動作に干渉しない。
【００４４】
好ましくは、タブレットＰＣ１３０を、解放可能に取り付け、この可動式または携帯型の装置１００の代替カバー１１０から取り外すことができ、その可動式の装置１００を、必要に応じて、再びアナログの動作を可能にするように再構成することができる。こうした再構成の機能は、インターセプトボックス１８０を車輪付きカート１０２から切り離すことによって与えられる。あるいは、インターセプトボックス１８０を、ジャンパケーブルアセンブリ（図示せず）またはトグルスイッチ（図示せず）などによってデジタル動作モードとアナログ動作モードとの間の選択的な動作のために別々に使用可能にすることができる。再構成モードでは、タブレットＰＣ１３０は、代替カバー１１０の受容空所１２８から取り外される。あるバージョンでは、デジタルスイッチケーブルコネクタはそれぞれ、Ｉ／Ｏインターセプトボックス１８０から取り外され、ジャンパケーブルアセンブリ（図示せず）のそれぞれのポートに接続される。
【００４５】
図７に戻ると、タブレットＰＣ１３０は、可動式の検査装置１００の代替カバー１１０の受容空所１２８から開放可能に取り外すことができて、タブレットＰＣを別個の動作モード（Ｂ）で別個かつ代替的に用いることが可能になる。図示の例によれば、以前は従来のアナログ（フィルム）Ｘ線検査のためにのみ構成されていた医療施設の検査室２３０を改造するために、タブレットＰＣ１３０を、有線または無線の相互接続によって少なくとも１つのフラットパネル形デジタル検出器１５０と併せて用いることができる。
【００４６】
以下の記述のために、明確にするために、本明細書では同様の部品には同じ参照番号を付している。この後者の（Ｂ）モードでは、検査室を改造し、それによりデジタルＸ線撮影を可能にするために、タブレットＰＣ１３０を、タブレットＰＣの一部として設けられるか、またはより好ましくは、検査室２３０の範囲内に適切に配設された無線ルータ（図示せず）によって外部無線アクセスポイント２４０（または他の無線もしくは有線の通信手段）と、フラットパネル形検出器１５０と一緒に本明細書で２６４として示す従来の（すなわちアナログの）Ｘ線装置とに別々に接続することができる。Ｘ線装置２６４は、例えば、光コリメータおよびＸ線源を備えるＸ線発生器アセンブリ２６８を含む専用の装置とすることができ、その装置は、検査室２３０の範囲内に設けられた備品に固定して取り付けられる。この例示的な実施形態によれば検査室の外部に配設されているドッキングステーション２６０により、タブレットＰＣ１３０を検査室内に配設された設備と接続する例示的な手段が設けられる。図５のデジタルスイッチケーブル１８５の関連の配線系統の類似物と共に図１の可動式診断装置１００で用いるための前に説明したＩ／Ｏインターセプトボックスと同様のＩ／Ｏインターセプトボックス１８０を用いて、Ｘ線発生器アセンブリ２６８に関する露出制御信号を傍受し、露出制御信号をユーザが操作する露出制御スイッチ（図示せず）からタブレットＰＣ１３０に渡す。ドッキングステーション２６０は、機械的かつ電気的にタブレットＰＣ１３０を受容する手段を含み、そのドッキングステーションは、外部の無線アクセスポイント２４０を介して（または代替的に有線接続を介して）それを遠隔制御するために装置２６４に電気的に接続されている。
【００４７】
動作の際には、タブレットＰＣ１３０は、可動式のカート１０２の受容空所１２８または図３のその引き出し用挿入物１４４からフラットパネル形検出器１５０と一緒に取り出される。次いで、タブレットＰＣ１３０は、ドッキングステーション２６０に挿入され、その中に解放可能に保持される。フラットパネル形デジタル検出器１５０は、検査室２３０内の患者に関連して、例えば、寝台１５８上の患者１５６の下に配設されており、Ｘ線発生器アセンブリ２６８は、画像を取得するために、フラットパネル形デジタル検出器に対して適切に位置決めされる。ユーザが操作する露出中心スイッチ（図示せず）からの露出制御信号は、Ｉ／Ｏインターセプトボックス１８０に経路発送され、先の実施形態と同様にＩ／Ｏインターセプトボックス１８０のインターフェースポートから延在するときに、ＵＳＢケーブル２８９がドッキングステーション２６０に取り付けられる。前記の実施形態のように、タブレットＰＣ１３０は、Ｎｅｗ  Ｙｏｒｋ州ＬｉｖｅｒｐｏｏｌのＩｎｆｉＭｅｄ，  Ｉｎｃ．，によるｉ５  ｓｏｆｔｗａｒｅ  ｓｕｉｔｅなど、組み込み済みのソフトウェアを含み、それにより、フラットパネル形デジタル検出器１５０の動作の制御が可能になる。本明細書で論じたモードの二重性は、単に例示的な１つのバージョンであり、例えば、本明細書で説明した検査室の改造を、モード（Ａ）に従って説明した車輪付きカートの改造の代わりに別々に実行することもできることに留意されたい。本明細書で説明する例では、Ｉ／Ｏインターセプトボックス２８０を切断するか、またはジャンパ回路もしくは他の切り替え（トグル）手段を設けると、アナログモードおよびデジタルモードを使用可能にすることができ、タブレットＰＣ１３０が使用されていないときに、検査室をその元のアナログ構成に選択的に復元することができる。
【００４８】
当業者に提案される本発明の意図された範囲をカバーする複数の他の修正形態および変更形態があることが、上記の説明から容易に明らかになるであろう。以下の全ての等価物を含む請求項は、本発明の範囲を包含および定義するものである。
【符号の説明】
【００４９】
１００    可動式Ｘ線診断装置
１０１    元のカバー
１０２    車輪付きカート
１０３    デジタル改造キット
１０４    シャーシ
１０８    ベース部
１１０    代替カバー
１１２    装置部分
１２０    １組の車輪
１２０ａ  後部車輪
１２４    キャスタ
１２７    正面ハンドルバー
１２８    受容空所
１３０    タブレットＰＣ
１３１    ブレーキ解放バー
１３８    露出制御スイッチ
１３９    ワイヤ
１４０    引き出し
１４４    引き出し用挿入物
１４５    フレーム
１４６    上部ハンドル
１４８    スロット
１５０    デジタルのフラットパネル形Ｘ線検出器
１５２    無線ルータ
１５８    患者の寝台
１６０    Ｘ線発生器アセンブリ
１６４    支柱
１６６    スロット
１６８    アーム
１８０    Ｉ／Ｏインターセプトボックス
１８２    常駐のマイクロプロセッサ
１８４    インターフェースポート
１８５    代替デジタルスイッチケーブル
１８６    インターフェースポート
１８８    ＵＳＢポート
１９０    受容空所
【図１】
2013529513.tif 000003
【図２】
2013529513.tif 000004
【図３】
2013529513.tif 000005
【図４】
2013529513.tif 000006
【図５】
2013529513.tif 000007
【図６Ａ】
2013529513.tif 000008
【図６Ｂ】
2013529513.tif 000009
【図７】
2013529513.tif 000010
【図８】
2013529513.tif 000011
【図９】
2013529513.tif 000012
【図１０】
2013529513.tif 000013
【図１１】
2013529513.tif 000014
【図１２】
2013529513.tif 000015
【図１３】
2013529513.tif 000016
【図１４】
2013529513.tif 000017
【図１５】
2013529513.tif 000018
【国際調査報告】
2013529513.tif 000019
2013529513.tif 000020